(57)【特許請求の範囲】
【請求項１】
円盤状記録媒体の記録方式毎に異なる規則外ビットの総数を該円盤状記録媒体が装着される検査装置に登録する総数登録工程と、
検査装置に装着された円盤状記録媒体から再生された規則外ビットの総数をカウントする総数カウント工程と、
総数登録工程で登録された規則外ビット数の総数と総数カウント工程でカウントされた規則外ビット数の総数とが一致しない際に、検査装置に装着された円盤状記録媒体を不良品として選別する選別工程とを有する円盤状記録媒体の検査方法。
【請求項２】
総数登録工程で、規則外ビットの各トラック毎の総数を登録し、
総数カウント工程で、各トラック毎の規則外ビットの総数をカウントして、
選別工程で、総数登録工程で登録された各トラック毎の規則外ビット数の総数と総数カウント工程でカウントされた各トラック毎の規則外ビット数の総数とが一致しない際に、検査装置に装着された円盤状記録媒体を不良品として選別する請求項１記載の円盤状記録媒体の検査方法。
【発明の詳細な説明】
【０００１】
【産業上の利用分野】
本発明は、磁気ディスク等の円盤状記録媒体の検査方法に関し、特に検査時間を抑えながら出荷される円盤状記録媒体の不良率を低下させるように選別を行う円盤状記録媒体の検査方法に関する。
【０００２】
【従来の技術】
記録された情報信号が検査装置により検査される円盤状記録媒体は、情報記録装置により情報信号を記録再生するための記録媒体として用いられる。この円盤状記録媒体は、信号記録密度、アクセス時間、シークタイム、情報記録再生装置に設けられたドライブ機構の回転軸の回転速度制御機構等の円盤状記録媒体と情報記録再生装置との規格毎に異なる。このため、上記円盤状記録媒体のセクタの情報信号の記録方式、情報信号の容量、及び各セクタの物理的な配置位置等は、円盤状記録媒体と情報記録再生装置の規格に合わせて予め設定される。
【０００３】
上記情報信号の記録方式は、例えば、ＰＥ（Ｐｈａｓｅ  Ｅｎｃｏｄｉｎｇ）、ＦＭ（Ｆｒｅｑｕｅｎｃｙ  Ｍｏｄｕｌａｔｉｏｎ）や、ＭＦＭ（Ｍｏｄｉｆｉｅｄ  ＦＭ）方式等がある。
【０００４】
上記ＭＦＭ方式は、円盤状記録媒体の情報信号の記録方式として、最も一般的な記録方式であり、このＭＦＭ方式では、円盤状記録媒体から読み出された情報信号を再生パルス信号として再生する際に、情報信号のビット列の２ビットに１回は必ず再生パルス信号を反転させるようにして、情報信号のビット列が”１”から”０”に変化する際に再生パルス信号に変化を生じさせず、情報信号のビット列が”０”から”１”に変化する際に再生パルス信号を反転させて、情報信号のビット列の”０”が２ビット連続する際に２ビット目の中間地点で再生パルス信号を反転させるように再生される。
【０００５】
このため、図４に示すように、規則内ビットの再生パルスは、ビット列の１ビットの周期を１Ｔとした場合、１Ｔ、１．５Ｔ、２Ｔの３種類のパルス間隔が存在して、転送レートが５００ｋｂｐｓである際には、パルス間隔が２、３、４μｓの３種類となる。
【０００６】
このため、図５に示すようにデータウィンド信号に同期してＭＦＭ変調された規則内ビットは、５μｓのパルス間隔の間に、パターンａ）乃至パターンｈ）の８種類のいずれかで再生される。
【０００７】
上記データウィンド信号は、円盤状記録媒体の情報信号のアドレス部、及びデータ部に記録された連続的な繰り返し信号で、再生装置に装着された円盤状記録媒体の回転速度を一定速度に安定させるためのＶＦＯ信号を読出して再生した信号に同期して発生される。
【０００８】
例えば図６に示すように、データウィンド信号の”Ｈｉｇｈ状態”のタイミングで情報信号のデータ（Ａ１）Ｈを、ＭＦＭ変調した場合に、データウィンド信号の１発目に同期して再生された際に、再生パルス信号は上記規則内ビットのパターンｇ）、ｃ）、ｅ）信号であるノーマルＡ１信号として再生される。また、データウィンド信号の２発目に同期して再生された際に、再生パルス信号は上記規則内ビットのパターンｆ）、ｅ）、ｄ）信号として再生される。
【０００９】
また、一般に各セクタのアドレス部及びデータ部の始点の判定用として、上記図５に示した８種類の規則内ビットのパターン以外の規則外ビットであるＭＣＢ（Ｍｉｓｓｉｎｇ  Ｃｌｏｃｋ  Ｂｉｔ）信号が、予め円盤状記録媒体に該円盤状記録媒体の仕様により設定された所定数が形成されている。
【００１０】
このＭＣＢ信号は、例えば図６に示した、ノーマルＡ１信号のエラーＥの部分を”Ｈｉｇｈ状態”から”Ｌｏｗ状態”に変更したエラーＡ１信号として再生されるように形成される。
【００１１】
上記円盤状記録媒体のセクタは、上記情報記録再生装置により各セクタ毎に読出し又は書込み可能にアドレスが割付けられるアドレス部と、該アドレスが割付けられた各セクタ毎に情報信号が読出し又は書き込まれるデータ部とを有している。
【００１２】
上記円盤状記録媒体は、アドレス部に同一アドレス番号が複数回繰り返されるＩＤ信号が形成され、データ部に誤り検出符号（ＣＲＣ符号；Ｃｙｃｌｉｃ  Ｒｅｄｕｎｄａｎｃｙ  Ｃｈｅｃｋ  Ｃｏｄｅ）が形成されて、出荷の際に検査装置に装着された円盤状記録媒体を選別するための検査信号として用いられている。
【００１３】
【発明が解決しようとする課題】
ところで、上記検査信号であるＩＤ信号、及びＣＲＣ符号は、上記アドレス部、及びデータ部の一部のビットでしかなく、情報信号の全ビットをチェックしていないため、円盤状記録媒体の不良率をある程度以下に抑えることが出来ないという問題点を生じていた。
【００１４】
この不良率を低下させる方法として、検査装置に設けられたハードディスクに、予めトラックに記録される全情報信号を格納して、かつ検査装置に装着された円盤状記録媒体から読み出された全情報信号をメモリに格納し、該ハードディスクに格納された情報信号とメモリに格納された情報信号を比較することで円盤状記録媒体から読み出された情報信号を検査する全ビット比較方式が採用されている。
【００１５】
しかし、この全ビット比較方式では、検査装置に大容量のハードディスクを設ける必要がある。このため、生産設備を高価なものとし、かつ検査装置が大型化されるという問題点を生じていた。
【００１６】
また、情報信号の全ビットを比較するため、検査時間を長時間として生産コストを上昇させるという問題点を生じていた。
【００１７】
また、検査装置に装着された円盤状記録媒体の書込み・消去の検査を行う場合には、書込み・消去の検査を行うための書込み用検査信号を上記ハードディスクに格納して、書込み・消去の検査の際の検査信号と読出し検査の際の情報信号を高速に切り替える必要があり、また検査の際に情報信号を格納するメモリを大容量にする必要が有るため、生産設備を高価にするという問題点を生じていた。
【００１８】
本発明は、このような問題点に鑑み、検査装置を大型又は高価とすること無く、情報信号の全ビットを短時間で検査することが可能な円盤状記録媒体の検査方法を提供することを目的とする。
【００１９】
【課題を解決するための手段】
本発明に係る円盤状記録媒体の検査方法は、円盤状記録媒体の記録方式毎に異なる規則外ビットの総数を該円盤状記録媒体が装着される検査装置に登録する総数登録工程と、検査装置に装着された円盤状記録媒体から再生された規則外ビットの総数をカウントする総数カウント工程と、総数登録工程で登録された規則外ビット数の総数と総数カウント工程でカウントされた規則外ビット数の総数とが一致しない際に、検査装置に装着された円盤状記録媒体を不良品として選別する選別工程とを有する。
【００２０】
また、総数登録工程で、規則外ビットの各トラック毎の総数を登録し、総数カウント工程で、各トラック毎の規則外ビットの総数をカウントして、選別工程で、総数登録工程で登録された各トラック毎の規則外ビット数の総数と総数カウント工程でカウントされた各トラック毎の規則外ビット数の総数とが一致しない際に、検査装置に装着された円盤状記録媒体を不良品として選別する。
【００２１】
【作用】
本発明における円盤状記録媒体の検査方法は、選別工程において、総数登録工程で登録された規則外ビット数の総数に、総数カウント工程でカウントされた規則外ビット数の総数が一致しない際に円盤状記録媒体を不良品として選別することが可能である。
【００２２】
また、選別工程において、総数登録工程で登録された各トラック毎の規則外ビット数の総数に、総数カウント工程でカウントされた各トラック毎の規則外ビット数の総数が一致しない際に円盤状記録媒体を不良品として選別することが可能である。
【００２３】
【実施例】
以下、本発明に係る円盤状記録媒体の検査方法の好ましい実施例について図面を参照しながら説明する。
【００２４】
本発明に係る円盤状記録媒体の検査方法は、規則内ビットで形成されるアドレス部のＩＤ信号、及びデータ部のＣＲＣ信号の検出と併行して、円盤状記録媒体内の該ＭＣＢ信号のカウントの総数が予め設定されたＭＣＢ信号の所定数と一致するかを判定することにより円盤状記録媒体の検査を行うものである。
【００２５】
この円盤状記録媒体の検査方法について、以下図１を用いて説明する。
【００２６】
ステップＳ１の総数登録工程では、円盤状記録媒体の記録方式毎に異なる規則外ビットの総数を該円盤状記録媒体が装着される検査装置に登録する。
【００２７】
ステップＳ２の総数カウント工程では、検査装置に装着された円盤状記録媒体から再生された規則外ビットを判定して、この規則外ビットの総数をカウントする。
【００２８】
ステップＳ３の選別工程では、総数登録工程で登録された規則外ビット数の総数と総数カウント工程でカウントされた規則外ビット数の総数とが一致しない際に、検査装置に装着された円盤状記録媒体を不良品として選別する。
【００２９】
次に、上記ステップＳ２の総数カウント工程における規則外ビットの判定手順を図２、図３を用いて説明する。
【００３０】
ステップＳ１１では、検査装置に装着された円盤状記録媒体の情報信号のアドレス部、及びデータ部に記録されたＶＦＯ信号を読出して、このこのＶＦＯ信号に同期させてデータウィンド信号を生成する。
【００３１】
ステップＳ１２では、データウィンド信号を反転させた反転ウィンド信号を生成する。
【００３２】
ステップＳ１３では、円盤状記録媒体から読み出された情報信号がＭＦＭ変調されて再生された読出し信号がデータウィンド信号の”Ｈｉｇｈ状態”で”１”であるビットをデータビットとして、反転ウィンド信号の”Ｈｉｇｈ状態”で”１”であるビットをクロックビットとして識別する。
【００３３】
ステップＳ１４では、読出し信号の各ビットが上記データビットかクロックビットか判定されて、データビットの際にはステップＳ１５に進み、クロックビットの際にはステップＳ１７に進む。
【００３４】
ステップＳ１５では、データウィンド信号と読出し信号との論理積であるＭＣＢデータ信号で立上がらせ、データウィンド信号を遅延させた遅延ウィンド信号を反転させた反転遅延信号とデータウィンド信号との論理積であるリセット信号で立下がるようなＤＴ１信号を生成する。
【００３５】
ステップＳ１６では、反転ウィンド信号をクロック信号として、ＤＴ１信号を１ビットシフトさせたＤＴ２信号、及びＤＴ１信号を２ビットシフトさせたＤＴ３信号を生成する。
【００３６】
ステップＳ１７では、反転ウィンド信号と読出し信号との論理積であるＭＣＢクロック信号で立上がらせ、上記リセット信号で立下がるようなＣＫ１信号を生成する。
【００３７】
ステップＳ１８では、データウィンド信号をクロック信号として、ＣＫ１信号を１ビットシフトさせたＣＫ２信号を生成する。
【００３８】
ステップＳ１９では、上記ＤＴ１信号、ＤＴ２信号、ＤＴ３信号、ＣＫ１信号、及びＣＫ２信号のシリアル信号を上位ビットからＤＴ１信号、ＣＫ１信号、ＤＴ２信号、ＣＫ２信号、ＤＴ３信号の順番で配設されるパラレル信号に変換する。
【００３９】
ステップ２０では、データウィンド信号と遅延ウィンド信号との論理積であるデコード信号に同期して、上記パラレル信号をデコードして、規則外信号か否かを判定して、規則外信号の際に”Ｈｉｇｈ状態”を出力し、規則内信号の際に”Ｌｏｗ状態”を出力するエラー検出信号を出力する。
【００４０】
以上により、検査装置に装着された円盤状記録媒体から読み出された情報信号が規則外か否かが判定されて、読出し信号が例えばＭＣＢ信号として一般に用いられているエラーＡ１信号である場合は、図３に示すエラー検出信号がエラー部分で”Ｈｉｇｈ状態”となる。
【００４１】
このようにして、規則外のビットを検出して、各トラック毎の規則外のビットの総数をカウント可能で有り、かつ円盤状記録媒体に記録される各トラックのＭＣＢ信号の数は、円盤状記録媒体の仕様により予め設定されている。このため、各トラック毎の規則外ビットの総数が予め設定されたＭＣＢ信号の総数と一致する場合は、円盤状記録媒体を良品と判定して、一致しない場合は、円盤状記録媒体に不良ビットが含まれており、この円盤状記録媒体が不良品であると判定することにより円盤状記録媒体の選別を可能とする。
【００４２】
以上のように、検査装置に大容量のメモリを設けることが無いため、生産設備費を抑えて、生産コストが抑えられ、かつ検査装置を大型化する必要が無く、また書込み・消去検査と読出し検査の切り替えが容易に行える。また、円盤状記録媒体に記録された情報信号の全ビットを短時間で検査することが可能なため、生産コストを抑えて、出荷される円盤状記録媒体の不良率を低下させる。
【００４３】
また、不良ビットが含まれるトラックを検出した際に円盤状記録媒体を不良品と判定して、該円盤状記録媒体の検査を終了させることにより、検査時間を短縮させて、生産コストを低下させる。また、円盤状記録媒体が良品と判定された際には、各トラックに不良ビットが含まれていないことが保証される。
【００４４】
なお、上記実施例においては、情報信号の転送レートを５００ｋｂｐｓとした場合について説明したが、本発明はこのような転送レートに限定されるものではなく、例えば転送レートを２５０ｋｂｐｓとした場合、ビット列の１ビットのパルス間隔を２μｓから４μｓと２倍に設定することにより、全く同様に適用可能である。
【００４５】
また、上記実施例においては、円盤状記録媒体の情報信号の記録方式をＭＦＭ方式とした場合について説明したが、本発明はこのような方式に限定されるものではなく、例えばＦＭ方式ではビット列の２ビットのパルス間隔内で２回反転した際、”１”に、１回反転した際、”０”に変調されるため、ビット列の１ビットを１周期Ｔとした場合、１Ｔ、２Ｔの２種類のパルス間隔が存在して、転送レートが２５０ｋｂｐｓである際には、パルス間隔が２、４μｓの２種類が存在する。このため、規則内ビットが４パターン存在して、それ以外が規則外ビットとして判定することにより、同様に適用可能である。
【００４６】
【発明の効果】
以上詳細に説明したように、本発明の円盤状記録媒体の検査方法によれば、総数登録工程で登録された規則外ビット数の総数に総数カウント工程でカウントされた規則外ビット数の総数が一致しない際に円盤状記録媒体を不良品として選別することが可能である。
【００４７】
従って、検査装置に大容量のメモリを設けることが無いため、生産設備費を抑えて、生産コストが抑えられ、かつ検査装置を大型化する必要が無く、また書込み・消去検査と読出し検査の切り替えが容易に行える。また、円盤状記録媒体に記録された情報信号の全ビットを短時間で検査することが可能なため、生産コストを抑えて、出荷される円盤状記録媒体の不良率を低下させる円盤状記録媒体の検査方法を提供することが可能である。
【００４８】
また、選別工程において、総数登録工程で登録された各トラック毎の規則外ビット数の総数に総数カウント工程でカウントされた各トラック毎の規則外ビット数の総数が一致しない際に円盤状記録媒体を不良品として選別することが可能である。
【００４９】
このため、不良ビットが含まれるトラックを検査した際に円盤状記録媒体を不良品と判定して、該円盤状記録媒体の検査を終了させることにより、検査時間を短縮させて、生産コストを低下させ、かつ、出荷された円盤状記録媒体の各トラックには、不良ビットが含まれないことを保証可能な円盤状記録媒体の検査方法を提供することが可能である。
【図面の簡単な説明】
【図１】本発明に係る円盤状記録媒体の検査方法の概略フローチャートである。
【図２】上記検査方法の総数カウント工程の要部のフローチャートである。
【図３】上記フローチャートにおける要部の信号のタイムチャートである。
【図４】従来の円盤状記録媒体の検査方法におけるＭＦＭ変調された情報信号のタイムチャートであり、規則内ビットの情報信号としてとりうるビット間隔を示す。
【図５】上記ＭＦＭ変調された情報信号のタイムチャートであり、規則内ビットの情報信号としてとりうる全パターンを示す。
【図６】従来の円盤状記録媒体の検査方法におけるデータウィンド信号に同期してＦＭＦ変調された再生パルス信号のタイムチャートの一例であり、規格内信号のノーマルＡ１信号、及びＭＣＢ信号のエラーＡ１信号を示す。
【符号の説明】
Ｓ１  総数登録工程
Ｓ２  総数カウント工程
Ｓ３  選別工程
【図１】
0003603337.tif 000002
【図２】
0003603337.tif 000003
【図３】
0003603337.tif 000004
【図４】
0003603337.tif 000005
【図５】
0003603337.tif 000006
【図６】
0003603337.tif 000007